(57)【要約】【課題】本発明は、チューナを複数台搭載する場合においても、コストを抑えたラジオ受信機を提供することを目的とする。【解決手段】本発明は、第１の放送局から送信されるアナログ放送信号及びデジタル放送信号の混合波を受信する第１チューナと、前記第１チューナが受信したアナログ放送信号を復調する第１アナログ用復調部と、前記第１チューナが受信したデジタル放送信号を復調する第１デジタル用復調部と、第２の放送局から送信されるデジタル放送信号のみを受信する第２チューナと、前記第２チューナが受信したデジタル放送信号を復調する第２デジタル用復調部と、前記第１及び第２チューナの選局を制御する制御部と、を有することを特徴とする。【選択図】図２
2011015291.tif 000002
【特許請求の範囲】
【請求項１】
第１の放送局から送信されるアナログ放送信号及びデジタル放送信号の混合波を受信する第１チューナと、
前記第１チューナが受信したアナログ放送信号を復調する第１アナログ用復調部と、
前記第１チューナが受信したデジタル放送信号を復調する第１デジタル用復調部と、
第２の放送局から送信されるデジタル放送信号のみを受信する第２チューナと、
前記第２チューナが受信したデジタル放送信号を復調する第２デジタル用復調部と、
前記第１及び第２チューナの選局を制御する制御部と、
を有することを特徴とするラジオ受信機。
【請求項２】
前記第１チューナは、音声放送信号を受信し、
前記第２チューナは、データ放送信号を受信する、請求項１に記載のラジオ受信機。
【請求項３】
前記制御部は、所定時間毎に選局及びデータ放送信号の受信を繰り返して、少なくとも１つの放送局から送信されるデータ放送信号を受信するように、前記第２チューナを制御する、請求項２に記載のラジオ受信機。
【請求項４】
前記制御部は、
受信したデータ放送信号から抽出したデータに基づいて放送番組リストを作成し、
前記放送番組リストの中から選択された放送局を選局するように、前記第１チューナ或いは第２チューナを制御する、請求項３に記載のラジオ受信機。
【発明の詳細な説明】
【技術分野】
【０００１】
本発明は、ラジオ受信機に関し、特にデジタル放送信号を受信することが可能なラジオ受信機に関する。
【背景技術】
【０００２】
従来のアナログ放送に比べて高品質な音質の放送を実現するものとして、ハイブリッドデジタルラジオ（HDラジオ)が、主に米国で実用化されている。HDラジオは、インバンドオンチャネル（IBOC）方式を採用しているが、これは、既存のAMまたはFMのアナログ放送の周波数を利用して、アナログ放送と同時にデジタル信号を伝送するものである（例えば、特許文献１）。
図１に、IBOC方式で採用している信号の周波数特性の一例を示す。図１に示すように、信号波形は、既存のFMアナログ信号１００１と、デジタル信号であるサイドバンド１００２、１００３とからなっている。
【０００３】
IBOC方式では、既存のアナログ放送と同じ周波数を使用しているため、新たにデジタル放送用の周波数を割り当てる必要がない。また、IBOC方式では、従来のアナログ放送信号及びデジタル放送信号の両者を受信することができる。これを利用して、放送局の近くで受信する場合など、電波が強いときはデジタル放送を受信し、放送局から遠い場所で受信する場合など、電波が弱いときはアナログ放送を受信することができる。
【０００４】
また、デジタル放送信号を受信して音声を再生した場合、従来のアナログ放送信号を受信した場合に比べて高音質の音声を再生することができる。さらに、デジタル放送信号においては、音声信号だけでなく、データ放送信号も送信することができる。データとしては、例えば、交通情報、放送中の楽曲のタイトルやアーティスト名、ニュース等のテキストなどが挙げられる。
【０００５】
ここで、ラジオ受信機を車両に搭載して、渋滞情報等の交通情報に関するデータ放送を受信する場合には、車両の走行中に交通情報を常時受信することが望ましい。しかしながら、交通情報及び音楽の両者を１つの放送局が同時に送信するとは限らない。そこで、音楽を聴きながら交通情報を受信する場合には、それぞれの放送局の電波を受信するために、少なくとも２台のチューナが必要となる。
【先行技術文献】
【特許文献】
【０００６】
【特許文献１】特開２００５−１５９５３５号公報
【発明の概要】
【発明が解決しようとする課題】
【０００７】
IBOC方式のラジオ受信機の場合、アナログ信号及びデジタル信号の両者について、IF (中間周波数)フィルタ及び信号復調部を設ける必要がある。上記のように、チューナを単純に２台搭載すると、IFフィルタ及び信号復調部が複数組必要となり、チューナを１台のみ搭載した場合に比べて大幅にコストが増加するという問題が生じる。
【０００８】
そこで、本発明は、チューナを複数台搭載する場合においても、コストを抑えたラジオ受信機を提供することを目的とする。
【課題を解決するための手段】
【０００９】
本発明は、第１の放送局から送信されるアナログ放送信号及びデジタル放送信号の混合波を受信する第１チューナと、前記第１チューナが受信したアナログ放送信号を復調する第１アナログ用復調部と、前記第１チューナが受信したデジタル放送信号を復調する第１デジタル用復調部と、第２の放送局から送信されるデジタル放送信号のみを受信する第２チューナと、前記第２チューナが受信したデジタル放送信号を復調する第２デジタル用復調部と、前記第１及び第２チューナの選局を制御する制御部と、を有することを特徴とする。
【発明の効果】
【００１０】
本発明のラジオ受信機は、特定の放送局のデジタル放送を常時受信しながら、他の放送局を受信することが可能なラジオ受信機を安価に提供することができる。
【図面の簡単な説明】
【００１１】
【図１】IBOC方式の信号レベルの周波数特性を表す図である。
【図２】実施例１のラジオ受信機のブロック図である。
【図３】実施例１のラジオ受信機の第１のチューナ部での音声再生手順を示すフローチャートである。
【図４】実施例１のラジオ受信機の第２のチューナ部での交通情報取得手順を示すフローチャートである。
【図５】実施例１のラジオ受信機で受信した交通情報をディスプレイ装置に表示した場合の表示例を示す図である。
【図６】実施例１のラジオ受信機で受信した交通情報の文字データを表示した場合の表示例である。
【図７】実施例２のラジオ受信機のブロック図である。
【図８】実施例２のラジオ受信機で複数の放送局からデータ放送を受信する場合のフローチャートである。
【図９】実施例２のラジオ受信機で受信したデータに基づいて作成した曲目リストの表示例である。
【図１０】実施例２のラジオ受信機で取得した曲目リストから選択した曲目の再生及び録音の手順を示すフローチャートである。
【図１１】実施例２のラジオ受信機で録音した曲の曲目リストの表示例である。
【図１２】実施例２のラジオ受信機で録音した曲目の再生及び消去の手順を示すフローチャートである。
【図１３】実施例３のラジオ受信機のブロック図である。
【図１４】実施例３のラジオ受信機で受信した交通情報及び楽曲情報を表示した場合の表示例である。
【図１５】実施例４のラジオ受信機のブロック図である。
【図１６】実施例４のラジオ受信機で受信した楽曲の放送予定リストを表示した場合の表示例である。
【図１７】実施例４のラジオ受信機で予約した曲目の再生及び録音の手順を示すフローチャートである。
【発明を実施するための形態】
【００１２】
以下図面を参照して、本発明のラジオ受信機について説明する。ただし、本発明の技術的範囲はそれらの実施の形態には限定されず、特許請求の範囲に記載された発明とその均等物に及ぶ点に留意されたい。
【実施例１】
【００１３】
図２に実施例１のラジオ受信機のブロック図を示す。図２を用いて、本発明の第１の実施例のラジオ受信機の構成について説明する。実施例１のラジオ受信機１０１は、第１チューナ部２１及び第２チューナ部２２の２台のチューナを備えている。第１チューナ部２１は、アナログ／デジタルの両方の放送信号を受信し、第２チューナ部２２はデジタル放送信号のみを受信する。さらに、ラジオ受信機１０１は、制御部２０１を備えており、第１チューナ部２１及び第２チューナ部２２の選局等を行う。第１の放送局９１及び第２の放送局９２から送信された放送信号は、ラジオ受信機１０１の外部に設置したアンテナ１００によって受信される。
【００１４】
第１チューナ部２１はアナログ及びデジタルの両方の信号を受信するため、IFフィルタ及び復調部は、アナログ用及びデジタル用を備えている。即ち、第１チューナ部２１には、デジタル信号用として、第１デジタル用フィルタ３１と、第１デジタル復調部４１とが接続されている。一方、第１チューナ部２１には、アナログ信号用として、第１アナログ用フィルタ３２と、第１アナログ復調部４２とが接続されている。第１デジタル復調部４１は、デジタル信号の中に文字情報等のデータが含まれている場合には、ラジオ受信機１０１の外部に設けられた表示部８にデータ信号を出力することができる。さらに、復調されたアナログ及びデジタルの両方の信号を切り替えて、ラジオ受信機の外部に設けられた音声出力装置７に出力するために、デジタル／アナログ音声切替部５を備えている。
【００１５】
第２チューナ部２２は、デジタル信号のみを受信するため、デジタル信号を処理するためのIFフィルタ及び復調部を備えている。即ち、ラジオ受信機１０１には、第２チューナ部２２に接続された第２デジタル用IFフィルタ３と、第２デジタル復調部４とが接続されている。さらに、第２デジタル復調部で復調された交通情報等のデータを保存するための交通情報用メモリ６０１を備えている。第２デジタル復調部４で復調されたデータは、制御部２０１の制御により、ラジオ受信機１０１の外部に設けられた表示部８やナビゲーション装置９に対して出力することもできる。また、交通情報用メモリ６０１に保存されたデータは、制御部２０１の制御により、表示部８に出力することができる。
【００１６】
上記のような構成とすることにより、交通情報等のデータ放送信号専用の第２チューナにより第１の放送局９１から放送される音楽番組を受信しながら、同時に第２の放送局９２から放送される交通情報等のデータ放送信号を受信することが可能となる。
【００１７】
さらに、上記のように、実施例１のラジオ受信機１０１は、アナログ放送信号及デジタル放送信号を受信する第１チューナ部２１側にはアナログ用及びデジタル用のIFフィルタ及び復調部を備えている一方、デジタル放送信号のみを受信する第２チューナ部２２側には、デジタル用のIFフィルタ及び復調部のみを設けている。このような構成とすることにより、第２チューナ部２２側でアナログ用のIFフィルタ及び復調部を省略することができ、ラジオ受信機のコストを抑えることができる。
【００１８】
また、第２デジタル復調部４は、図１に示したデジタル信号のサブバンド１００２及び１００３の両者を復調するようにしてもよいが、両者は同じ信号を送信しているため、いずれか一方のみを復調するようにしてもよい。復調するデジタル信号をサブバンド１００２及び１００３（図１参照）のいずれか一方とすることにより、処理すべき帯域を狭くすることができ、部品コストを抑制することができる。
【００１９】
図３は、実施例１のラジオ受信機の第１チューナ部での音声再生手順を示すフローチャートである。図３を用いて、実施例１のラジオ受信機１０１の第１のチューナ部での音声再生手順について説明する。ここでは、第１の放送局９１（図２参照）が、アナログ及びデジタルの両方について音楽番組等の音声放送を行っているとする。まず、ステップＳ１０１において、制御部２０１が第１チューナ部２１を制御して、第１の放送局９１を選局する。第１チューナ部２１で受信した信号のうちデジタル信号は第１デジタル用フィルタ及び第１デジタル復調部を経由してデジタル／アナログ音声切替部５に入力される。また、第１チューナ部２１で受信した信号のうちアナログ信号は第１アナログ用フィルタ３２及び第１アナログ復調部４２を経由してデジタル／アナログ音声切替部５に入力される。
【００２０】
次に、ステップＳ１０２において、制御部２０１は、第１チューナ部で受信した第１の放送局９１の電波の強度が所定の値より大きいか否かを判断する。電波の強度が所定の値よりも大きい場合には、ステップＳ１０３において、制御部２０１はデジタル／アナログ音声切替部５を制御して、デジタル音声を選択する。一方、電波の強度が所定の値よりも小さい場合には、ステップＳ１０４において、制御部２０１はデジタル／アナログ音声切替部５を制御して、アナログ音声を選択する。デジタル／アナログ音声切替部で選択された音声信号は、音声出力装置７に出力され、ステップＳ１０５において音声出力装置７から再生される。
【００２１】
さらに、ステップＳ１０６において、制御部２０１は第１デジタル復調部４１が復調したデジタル信号の中に文字データが含まれているか否かを判断する。文字データが含まれていると判断した場合には、ステップＳ１０７において、制御部２０１が第１デジタル復調部を制御して表示部８に対して文字データを出力させる。
【００２２】
図４は、実施例１のラジオ受信機の第２のチューナ部での交通情報の取得手順を示すフローチャートである。図４を用いて、交通情報等のデータ放送信号を受信する手順について説明する。ここでは、第２の放送局９２（図２参照）が、交通情報等のデータをデジタル放送により放送しているとする。まず、ステップＳ２０１において、制御部２０１が第２チューナ部２２を制御して、第２の放送局９２の放送信号を受信するように選局する。第２チューナ部２２で受信したデジタル信号は第２デジタル用IFフィルタ３及び第２デジタル復調部４で復調されて交通情報が抽出される。
【００２３】
次に、ステップＳ２０２において、制御部２０１は、第２デジタル復調部４において交通情報が抽出されたか否かを判断し、交通情報が送信されない状態においては、元に戻って交通情報が送信されるまで待ち状態となる。交通情報が送信されて抽出できた場合には、ステップＳ２０３において、制御部２０２は交通情報の中に地図データが含まれているか否かを判断する。地図データが含まれている場合には、ステップＳ２０４において、交通情報をラジオ受信機１０１の外部に設けたナビゲーション装置（ナビ）９に送信する。ステップＳ２０５において、ナビゲーション装置９において、ナビゲーション装置が取得した地図データと交通情報とを重ね合わせて、これらを表示部８に表示する。
【００２４】
一方、ステップＳ２０３において、地図データが存在しないと判断した場合には、ステップＳ２０６において、文字データの有無を判断する。文字データが存在する場合には、ステップＳ２０７において、制御部２０１は第２デジタル復調部４から文字データを表示部８に出力させる。さらにステップＳ２０８において、文字データは交通情報用メモリ６０１に保存される。
【００２５】
図５は、実施例１のラジオ受信機で受信した交通情報をディスプレイ装置の画面に表示した場合の表示例である。ディスプレイ装置１０の一部にはナビゲーション装置９によって取得した地図１１が表示され、地図１１上では道路１３における自車の位置がマーク１２で表示されている。さらに道路の一部には交通情報に含まれる渋滞情報等の地図データに基づいて、渋滞している領域１４が表示される。なお、音楽番組を放送している第１の放送局９１が放送している音楽の曲名等の情報をデジタル放送により受信した場合には、曲名等の文字情報を地図１１の周辺の表示エリア１５に表示するようにしてもよい。
【００２６】
図６は、実施例１のラジオ受信機で受信した交通情報の文字データを表示した場合の表示例である。図６を用いて、実施例１のラジオ受信機１０１が受信した交通情報に文字データのみが含まれている場合の表示例について説明する。表示部８であるディスプレイ装置１０には、渋滞情報等の交通情報が文字で表示される。さらに、ディスプレイ装置１０の表示画面には、現在第１チューナ部で受信している音楽番組に文字データが含まれている場合には、曲名等のデータを表示エリア１５に表示するようにしてもよい。
【００２７】
本実施例では、このような交通情報等のデータ放送を常時受信することにより、ディスプレイ装置に常時表示させておきながら、他局の音楽放送を同時に再生することができる。
【００２８】
なお、上記発明は、第１チューナ部で受信したデータが音声情報以外の、例えば画面上に表示されるデータである場合、種類の異なる音声情報は同時に出力できないが、それ以外の上記データは画面上に同時に複数データを表示できることに着目している。
【実施例２】
【００２９】
図７は、実施例２のラジオ受信機１０２のブロック図である。図７を用いて、本発明の第２の実施例のラジオ受信機の構成について説明する。実施例２のラジオ受信機１０２は第２チューナ部２２が受信したデジタルデータを保存するメモリとして音楽データ用メモリ６０２を備えている点で実施例１のラジオ受信機と相違している。
【００３０】
実施例２のラジオ受信機は、第１の放送局９１から放送される音楽番組を受信しながら、第２の放送局から放送される他の音楽番組等のデータ放送信号を受信する点を特徴としている。さらに、実施例２のラジオ受信機１は、第２の放送局９２から放送される音楽番組に関するデータを記録し、記録結果に基づいて音楽番組を再生または録音する点を特徴としている。
【００３１】
第１チューナ部２１側では、実施例１と同様に音楽番組等を受信し、音声出力装置７から再生する。一方、第２チューナ部２２側では、第２の放送局９２から送信される現在放送中の音楽番組に関するデータを受信する。具体的には、第２デジタル復調部４から第２の放送局９２が現在放送している音楽の曲名等のデータを表示部８に表示するとともに、音楽データ用メモリ６０２に格納する。
【００３２】
さらに、音楽番組を放送している第３の放送局９３が存在している場合には、制御部２０２は、第３の放送局９３を選局するように第２チューナ部２２を制御し、上記と同様に第３の放送局９３が現在放送している音楽の曲名等のデータを表示部８に表示するとともに、音楽データ用メモリ６０２に格納する。このようにして、制御部２０２は、所定時間毎に選局及びデータ放送信号の受信を繰り返して、複数の放送局から送信されるデータ放送信号を受信するように、第２チューナ部２２を制御する。
【００３３】
図８は、実施例２のラジオ受信機で複数の放送局からデータ放送を受信する場合の手順を示すフローチャートである。図８を用いて音楽番組を放送している放送局の数（最大値＝kmax）が予め判っている場合における曲目リストの作成手順について説明する。まず、ステップＳ３０１において、放送局の識別番号であるｋの値を初期値の０に設定し、ステップＳ３０２でｋの値を１つ増やす。次に、ステップＳ３０３で制御部２０２が第２チューナ部２２を制御して第ｋ放送局を選局する。ここで、各放送局の放送信号の周波数に関するデータは制御部２０２内のメモリ（図示せず）に格納しておくことができる。
【００３４】
ステップＳ３０４でデータ放送を受信したか否かを判断し、第ｋ放送局が放送している音楽番組に関するデータ放送を受信できない場合はステップＳ３０３に戻る。データ放送を受信した場合には、ステップＳ３０５において音楽番組に関する曲名等のデータを音楽データ用メモリ６０２に格納する。
【００３５】
次に、ステップＳ３０６において、放送局の数ｋが最大値であるｋmaxに達しているか否かを判断する。最大値ｋmaxに達していない場合には、ステップＳ３０２に戻って、ｋの値を１つ増やして次の放送局を選局して放送中の音楽番組に関するデータを取得する。以下、上記と同様にして、取得したデータを音楽データ用メモリ６０２に格納する。ステップＳ３０６において放送局の数ｋが最大値であるｋmaxに達した場合には、ステップＳ３０７において取得したデータに基づいて、図９に示すような曲目リストを作成する。上記のようにして、複数の放送局が現在放送している音楽の曲名等のデータを取得した後、一覧表の形式で曲目リストを表示部８に表示するようにしてもよい。
【００３６】
図９は、実施例２のラジオ受信機で受信したデータに基づいて作成した曲目リストの表示例である。図９に示すように、例えば、放送局Ａからはアーティストａのタイトルａが放送中であり、放送局Ｂからはアーティストｂのタイトルｂが放送中であることがわかる。
【００３７】
さらに、曲目リスト２０上に表示した曲を再生または録音するモードを選択することができるように、モードを選択する欄を設けてもよい。例えば、曲目リスト２０の右端欄の再生マーク２１１を選択することにより、制御部２０２（図７参照）が第１チューナ部２１を制御して、放送局Ｂを選局させ、タイトルｂを再生するようにしてもよい。このとき、タイトルｂを再生していることをユーザに認識させるために、曲目リスト２０の左端に「再生中」等の表示を行うようにしてもよい。
【００３８】
また、上記のようにして、放送局Ｂの音楽番組を再生している状態で、曲目リスト２０の右端欄の録音マーク２１２を選択することにより、制御部２０２が第２チューナ部２２を制御して、放送局Ｄを選局させ、タイトルｄを音楽データ用メモリ６０２に保存することにより録音するようにしてもよい。このとき、タイトルｄを録音していることをユーザに認識させるために、曲目リスト２０の左端に「録音中」等の表示を行うようにしてもよい。この録音したタイトルｄは、音楽データ用メモリ６０２からスピーカ等の音声出力装置７に出力することによって、再生することもできる。さらに、既に録音済みの音楽データを表示させるためのボタン２１３をディスプレイ１０の表示画面に表示するようにしてもよい。上記のようにモードを選択する手段として、入力端末でカーソルを移動させてもよいし、ディスプレイ装置１０にタッチパネルを装着して画面に触れることにより選択するようにしてもよい。
【００３９】
図１０は、実施例２のラジオ受信機で取得した曲目リストから選択した曲目の再生及び録音の手順を示すフローチャートである。図１０を用いて、曲目リスト２０に表示した曲目リストから特定の曲を再生または録音する手順について説明する。まず、ステップＳ４０１において、曲目リストに表示した曲のユーザによる再生指示の有無について制御部２０２（図７参照）が判断する。曲目リスト２０に含まれる曲の中で再生ボタンが選択された曲が存在する場合には、ステップＳ４０２において、再生指示を受けた曲を放送している放送局を選局するように制御部２０２が第１チューナ部２１を制御する。次に、ステップＳ４０３において、第１チューナ部２１が選局した放送局から放送されるデジタルまたはアナログの音声信号を音声出力装置７に出力することによって、ユーザが選択した曲を再生する。
【００４０】
ステップＳ４０１において、再生指示がない場合には、ステップＳ４０４においてユーザによる録音指示の有無を判断する。曲目リスト２０に示した曲の中でユーザが録音ボタンを選択した曲が存在する場合には、ステップＳ４０５において、録音指示がなされた曲を放送している放送局を選局するように、制御部２０２が第２チューナ部２２を制御する。次に、ステップＳ４０６において、第２チューナ部２２は放送されている曲のデジタルデータを取得し、ステップＳ４０７において、取得したデジタルデータを音楽データ用メモリ６０２に保存する。
【００４１】
曲目リスト２０に示した曲のいずれも再生または録音の指示がなされなかった場合には、ステップＳ４０８において本モードを終了するか否かの指示待ちの状態となる。例えば、録音済みの音楽データを表示させるボタン２１３が選択された場合には、本モードは終了して、後述する録音済みの曲目のリストが表示される。
【００４２】
図１１は、実施例２のラジオ受信機で録音した曲の曲目リストの表示例である。図１１を用いて、上記のようにして録音された曲目の再生手順について説明する。録音済みの曲目リスト４０は、音楽データ用メモリ６０２に保存された録音した曲目に関するデータにより構成することができる。録音済みの曲目リスト４０には、曲目に関するデータ以外に録音された時間（放送時間）を含む。さらに、録音済みの曲目リスト４０には、録音した曲を再生させるための再生ボタン４０１及び消去するための消去ボタン４０２を表示するようにしてもよい。また、放送中の曲目リスト２０を再度表示させる目的で、画面切り替え用のボタン２１４を表示させるようにしてもよい。
【００４３】
図１２は、実施例２のラジオ受信機で録音した曲目の再生及び消去の手順を示すフローチャートである。図１２を用いて、録音済みの曲目リストから特定の曲を選択して再生または消去する手順について説明する。まず、ステップＳ５０１において、録音済みの曲目リスト４０の再生ボタン４０１が選択されたか否かを制御部２０２（図７参照）が判断することにより、録音した曲の再生の有無を判断する。特定の曲が選択された場合には、ステップＳ５０２において、制御部２０２が、音楽データ用メモリ６０２から指定された曲の音楽データを選択する。次に、ステップＳ５０３において、選択した曲の音楽データを音声出力装置７に出力することによって選択した曲を再生する。
【００４４】
ステップＳ５０１において、録音した曲の再生指示を受けない場合には、ステップＳ５０４において、制御部２０２は、録音した曲の消去の指示の有無について判断する。具体的には、制御部２０２が、録音済みの曲目リスト４０の中で消去ボタン４０２が選択された曲の有無について判断する。消去ボタン４０２が選択された曲が存在する場合には、制御部２０２が音楽データ用メモリ６０２を制御して、音楽データ用メモリ６０２から該当する曲の音楽データを消去する。
【００４５】
録音済みの曲目リスト４０に示した曲のいずれも再生または消去の指示がなされなかった場合には、ステップＳ５０６において本モードを終了するか否かの指示待ちの状態となる。例えば、放送中の音楽データを表示させる表示切り替え用ボタン２１４が選択された場合には、本モードは終了して、上述の現在放送中の曲目リスト２０が表示される。
【００４６】
以上のようにして、現在放送している特定の放送局の音楽番組を聴きながら、他局で現在放送している音楽に関するデータを取得し、曲目リストとして表示することができる。さらに、曲目リストの中から所望の曲目を選択することにより、選択した曲を放送している放送局を選局して所望の曲を聴取または録音することができる。さらに、録音した曲の再生または消去を行うこともできる。
【実施例３】
【００４７】
図１３は、実施例３のラジオ受信機のブロック図である。図１３を用いて、第３の実施例のラジオ受信機について図面を用いて説明する。実施例３のラジオ受信機は交通情報用メモリ６０１及び音楽データ用メモリ６０２を備えている点を特徴としている。その他の構成は実施例１及び２と同様であるので詳細な説明は省略する。実施例３のラジオ受信機においては、１つの放送局から交通情報に関するデータを受信するだけでなく、他の放送局から音楽番組に関するデータを受信し、その両者をディスプレイ画面上に表示させる点を特徴としている。
【００４８】
図１３に示すように、第１の放送局９１が音楽番組を放送している場合、第１チューナ部２１がこれを受信し、実施例１及び２と同様にして、音声出力装置７から音声として再生する。一方、第２の放送局９２が交通情報等のデジタルデータを放送している場合には、第２チューナ部２２は、第２の放送局９２を選局して、交通情報を取得し、交通情報を交通情報用メモリ６０１に格納する。
【００４９】
次に、第３の放送局９３を含む他の放送局が音楽番組を放送している場合には、実施例２と同様にして現在放送している音楽番組に関するデータを音楽データ用メモリ６０２に保存して、曲目リストを作成する。交通情報及び曲目リストに関する情報は表示部８に出力される。なお、交通情報は時間の経過とともに変化することが予想されるため、高い頻度で受信することが好ましい。このため、音楽番組を放送する放送局のデータ放送を受信する期間を短くし、交通情報のデータ放送を受信する期間を長くすることが好ましい。
【００５０】
図１４は、実施例３のラジオ受信機で受信した交通情報及び楽曲情報をディスプレイ装置に表示した場合の表示例である。図１４を用いて、上記のようにして取得した交通情報及び音楽情報の表示装置への表示例について説明する。ディスプレイ装置１０の表示画面にはナビゲーション装置９から取得した地図１１と、曲目リスト２０が表示されている。地図１１には実施例１と同様にして渋滞情報等の交通情報を表示することができる。曲目リスト２０は実施例２で説明したものと同様であるので詳細な説明は省略する。
【００５１】
上記のようにして、交通情報を表示させながら、曲目リストを作成し、表示装置に表示することができるため、交通情報を取得しながら第１チューナ部で聴取している放送局以外の他の放送局で放送している曲の中から所望の曲を選択して聴取または録音を行うことが可能となる。なお、本実施例では地図１１と曲目リスト２０とを並べて表示する例を示したが、いずれか一方を拡大表示するようにしてもよいし、ユーザの選択により少なくとも一方を表示させないようにして、所望により適宜表示するようにしてもよい。
【実施例４】
【００５２】
図１５は、実施例４のラジオ受信機のブロック図である。図１５を用いて、本発明の第４の実施例について説明する。実施例４のラジオ受信機は、タイマを内蔵している点を特徴としている。その他の構成は実施例２のラジオ受信機の構成と同様であるので詳細な説明は省略する。実施例４のラジオ受信機においては、タイマ２０５を内蔵しているため、近い将来放送される音楽番組の再生または録音の予約を実行することができる。
【００５３】
図１６は、実施例４のラジオ受信機で受信した楽曲の放送予定リストを表示した場合の表示例である。図１６を用いて、実施例４のラジオ受信機において、近い将来放送される音楽番組の再生または録音の予約の手順について説明する。本実施例では、少なくとも１局の放送局から送信される音楽番組に関するデータを取得する点では、実施例２と同様であるが、各放送局が現在の音楽番組に関するデータだけでなく、近い将来放送する音楽番組に関するデータを送信することを前提としている。
【００５４】
放送局が送信する音楽番組に関するデータとしては、アーティスト名、曲名だけでなく、放送予定時間帯、ジャンル等が例として挙げられる。実施例２と同様にして、複数の放送局から音楽番組に関するデータを取得した後、音楽データ用メモリ６０２に格納し、図１６に示すような放送予定リスト５０を作成し、ディスプレイ装置１０に表示する。図１６では、ジャンルでソートした例を示したが、放送時間等、他の項目でソートするようにしてもよい。
【００５５】
さらに、放送予定リスト５０には再生または録音を指示するボタンを追加するようにしてもよい。ディスプレイ装置１０にタッチパネル等を装着することにより、再生ボタン５０１や録音ボタン５０２を選択することができる。再生ボタン５０１を選択した曲に関しては、放送予定時間になると、図１５に示すように制御部２０４がタイマ２０５からの情報を受信し、予約された曲を放送する放送局を選局するように第１チューナ部２１を制御する。第１チューナ部２１で受信した音声データは音声出力装置７に出力されて、指定された曲目が再生される。一方、録音ボタン５０２を選択した曲に関しては、放送予定時間になると、図１５に示すように制御部２０４がタイマ２０５からの情報を受信して、録音を指定された曲を放送する放送局を選局するように第２チューナ部２２を制御する。第２チューナ部２２では、録音を指定された曲の音楽データを受信し、音楽データを音楽データ用メモリ６０２に格納する。録音した曲の音楽データは、音楽データ用メモリ６０２から音声出力装置７に出力して再生することができる。
【００５６】
図１７は、実施例４のラジオ受信機で予約した曲目の再生及び録音の手順を示すフローチャートである。図１７を用いて、放送予定リスト５０に表示した曲目リストから再生又は録音の予約を設定した曲を再生または録音する手順について説明する。まず、ステップＳ６０１において、放送予定リスト５０に表示した曲の中で、ユーザによる再生予約が有る場合には、制御部２０４がタイマ２０５から受信した時刻情報と比較することにより、予約時間となったか否かを判断する。再生予約時間となった場合には、ステップＳ６０２において、再生予約が設定された曲を放送している放送局を選局するように制御部２０４が第１チューナ部２１を制御する。次に、ステップＳ６０３において、第１チューナ部２１が選局した放送局から放送されるデジタルまたはアナログの音声信号を音声出力装置７に出力することによって、ユーザが再生予約した曲を再生する。
【００５７】
ステップＳ６０１において、再生予約がない場合には、ステップＳ６０４においてユーザによる録音予約の有無について判断し、録音予約が有る場合には、制御部２０４がタイマ２０５からの時刻情報に基づいて録音予約時間となったか否かを判断する。録音予約時間となった場合には、ステップＳ６０５において、録音予約が設定された曲を放送する放送局を選局するように、制御部２０４が第２チューナ部２２を制御する。次に、ステップＳ６０６において、第２チューナ部２２は放送している曲のデジタルデータを取得し、ステップＳ６０７において、取得したデジタルデータを音楽データ用メモリ６０２に保存する。
【００５８】
放送予定リスト５０に示した曲のいずれも再生または録音の予約が設定されなかった場合には、ステップＳ６０８において本モードを終了するか否かの指示待ちの状態となる。例えば、放送中の音楽データを表示させるボタン５０３が選択された場合には、本モードは終了して、放送中の曲目リストが表示される。
【００５９】
上記の実施例１乃至５の説明では、データ放送の内容として音楽番組に関するデータを例にとって説明したが、ニュース等の他の文字データに関しても同様にして表示することができる。例えば、ニュースのタイトルに関するデータに基づいて一覧表を作成し、適宜選択することにより選択したニュースを音声として再生又は録音するようにしてもよいし、ニュースをテキストデータとして保存するようにしてもよい。
【００６０】
また、上記の実施例１乃至５のラジオ受信機は車両に搭載することが可能であり、ナビゲーション装置等の車載機に組み込むこともできる。また、家庭用のラジオ受信機として構成することや、携帯端末等に組み込むこともできるが、これらには限られない。
【符号の説明】
【００６１】
１    ラジオ受信機
２    制御部
２１    第１チューナ部
２２    第２チューナ部
３１    第１デジタル用IFフィルタ
３２    第１アナログ用IFフィルタ
３    第２デジタル用IFフィルタ
４１    第１デジタル用復調部
４２    第１アナログ用IF復調部
４    第２デジタル用IF復調部
５    デジタル／アナログ音声切替部
６    メモリ
７    音声出力装置
８    表示部
９    ナビゲーション装置
１０    ディスプレイ装置
【図１】
2011015291.tif 000003
【図２】
2011015291.tif 000004
【図３】
2011015291.tif 000005
【図４】
2011015291.tif 000006
【図５】
2011015291.tif 000007
【図６】
2011015291.tif 000008
【図７】
2011015291.tif 000009
【図８】
2011015291.tif 000010
【図９】
2011015291.tif 000011
【図１０】
2011015291.tif 000012
【図１１】
2011015291.tif 000013
【図１２】
2011015291.tif 000014
【図１３】
2011015291.tif 000015
【図１４】
2011015291.tif 000016
【図１５】
2011015291.tif 000017
【図１６】
2011015291.tif 000018
【図１７】
2011015291.tif 000019